(57)【要約】【課題】適切に除湿された物品を安定的に供給することが可能な除湿管理装置、除湿装置およびプログラムを提供する。【解決手段】コントローラ１１は、除湿対象の電子部品１０の識別情報を読み取ることにより、電子部品１０の除湿部６０への入庫と出庫を判別し、その判別に基づいて、識別情報毎に、除湿部６０から電子部品１０が取り出されて電子部品１０が外気に触れている期間を示す暴露時間と除湿部６０に入庫されて電子部品１０が除湿された除湿時間とを取得する。また、コントローラ１１は、取得した暴露時間および除湿時間に基づいて、除湿部６０に入庫された電子部品１０が含有する水分量を求める。【選択図】図１
2014129153.tif 000002
【特許請求の範囲】
【請求項１】
除湿対象の物品の識別情報を読み取ることにより、該物品の除湿部への入庫と出庫を判別する入出庫判別部と、
前記入出庫判別部の判別に基づいて、前記識別情報毎に、前記除湿部から物品が取り出されて前記物品が外気に触れている期間を示す暴露時間と前記除湿部に入庫されて前記物品が除湿された除湿時間とを取得する時間取得部と、
前記時間取得部が取得した暴露時間および除湿時間に基づいて、前記除湿部に入庫された物品が含有する水分量を求める水分量取得部と、
を備える、ことを特徴とする除湿管理装置。
【請求項２】
前記水分量取得部で取得された水分量が所定の基準を満たす物品を特定し、該物品を使用可能な物品として報知する報知手段を備える、ことを特徴とする請求項１に記載の除湿管理装置。
【請求項３】
前記時間取得部は、前記除湿部から物品が出庫された日時を求める手段と、同一識別情報を有する物品について、該物品が前記除湿部に再入庫された日時を求める手段と、再入庫の日時と出庫の日時の差違から前記暴露時間を求める手段と、を備える、ことを特徴とする請求項１または２に記載の除湿管理装置。
【請求項４】
前記時間取得部は、前記除湿部に入庫されている物品について、前回の水分量の取得からの経過時間を前記除湿時間として求める手段とを備える、ことを特徴とする請求項１ないし３のいずれか１項に記載の除湿管理装置。
【請求項５】
前記水分量取得部は、暴露時間と暴露後の水分量とを対応付ける加湿パラメータと、
除湿時間と除湿後の水分量とを対応付ける除湿パラメータと、を備え、
前記加湿パラメータと前記除湿パラメータをとを用いて水分量を取得する、ことを特徴とする請求項１ないし４のいずれか１項に記載の除湿管理装置。
【請求項６】
前記除湿部は、物品を外気よりも高温で除湿する高温除湿槽と、物品を外気よりも低湿度で除湿する低湿槽とを有し、
前記除湿部に入庫されている物品の水分量に基づいて、前記高温除湿槽で除湿すべき物品を選定し、報知する移載報知手段をさらに備える、ことを特徴とする請求項１ないし５の何れか１項に記載の除湿管理装置。
【請求項７】
前記物品は、前記識別情報が登録された無線タグが付与され、
前記入出庫判別部は、前記除湿部に配置された無線タグリーダを備え、新たな識別情報を読み取ることにより、該識別情報が登録された前記無線タグが付された物品の入庫を判別し、読み取れていた識別情報が読み取れなくなったことにより、該識別情報が登録された無線タグが付された物品の出庫を判別する、ことを特徴とする請求項１ないし６のいずれか１項に記載の除湿管理装置。
【請求項８】
請求項１ないし７のいずれか１項に記載の除湿管理装置と、
物品を除湿する除湿部と、
を備える、ことを特徴とする除湿装置。
【請求項９】
前記物品の識別情報を記憶する記憶部を備え、
前記除湿部は、
物品を収納するための、複数の収納部と、
前記収納部それぞれに配置され、物品の出し入れを作業者に指示するための指示部と、
を有し、
前記記憶部は、前記収納部の物品収納情報が記憶可能であり、
前記入出庫判別部は、前記物品の識別情報を読み取ったとき、前記記憶部から物品収納情報を読み出し、読み出された前記物品収納情報に基づいて前記収納部のうちの１つを選定し、選定された収納部の指示部に物品の出し入れの指示をする、ことを特徴とする請求項８に記載の除湿装置。
【請求項１０】
前記指示部は、光源を有し、該光源の点灯により物品の出し入れを作業者に指示する、ことを特徴とする請求項９に記載の除湿装置。
【請求項１１】
除湿対象の物品の識別情報を読み取ることにより、該物品の除湿部への入庫と出庫を判別する入出庫判別ステップと、
前記入出庫判別ステップの判別に基づいて、前記識別情報毎に、前記除湿部から物品が取り出されて前記物品が外気に触れている期間を示す暴露時間と前記除湿部に入庫されて前記物品が除湿された除湿時間とを取得する時間取得ステップと、
前記時間取得ステップで取得した暴露時間および除湿時間に基づいて、前記除湿部に入庫された物品が含有する水分量を求める水分量取得ステップと、
を備える、ことを特徴とする除湿管理方法。
【請求項１２】
除湿管理装置のプログラムであって、
コンピュータを、
除湿対象の物品の識別情報を読み取ることにより、該物品の除湿部への入庫と出庫を判別する入出庫判別部、
前記入出庫判別部の判別に基づいて、前記識別情報毎に、前記除湿部から物品が取り出されて前記物品が外気に触れている期間を示す暴露時間と前記除湿部に入庫されて前記物品が除湿された除湿時間とを取得する時間取得部、および
前記時間取得部が取得した暴露時間および除湿時間に基づいて、前記除湿部に入庫された物品が含有する水分量を求める水分量取得部
として機能させる、ことを特徴とするプログラム。
【発明の詳細な説明】
【技術分野】
【０００１】
本発明は、除湿管理装置、除湿装置、除湿管理方法およびプログラムに関する。
【背景技術】
【０００２】
プリント配線板の実装工程には、高温ではんだを溶かすリフロー工程がある。電子部品が吸湿していると、このリフロー工程で電子部品に含まれる水分が瞬時に膨張し、電子部品にマイクロクラックが発生する。
【０００３】
マイクロクラックの発生を防止するため、電子部品のフロアライフ（floor life：室内放置寿命時間）や除湿条件を定めて、電子部品を除湿することが行われている。さらに、個々の電子部品の除湿を適切に行うため、電子部品をデシケータ（desiccator:乾燥器）により除湿した時間（高温除湿時間）やデシケータから取り出して室内に放置した時間を記録することが行われている。しかし、このような人手による作業は煩雑でありまた正確性に欠けるという問題があった。
【０００４】
作業性に関連して、特許文献１には、ＲＦＩＤラベルの記憶情報を読み取る機能を備えたデシケータシステムが開示されている。
【０００５】
このデシケータシステムでは、部品は容器に収納され、容器には、収納品の使用期限、責任者、収納品ＩＤ等の属性情報が登録されたＲＦＩＤラベルが貼付される。このデシケータシステムは、ＲＦＩＤラベルから属性情報を非接触で読み取り、読み取った属性情報を解析することにより、容器単位で部品の属性を管理する。また、このデシケータシステムは、誘導表示灯を点灯して容器の収納場所を誘導し、誘導した収納場所と異なる場所に収納された場合に警告する機能も備えている。
【先行技術文献】
【特許文献】
【０００６】
【特許文献１】特開２００９−１２９０８２号公報
【発明の概要】
【発明が解決しようとする課題】
【０００７】
特許文献１のデシケータシステムでは、各部品の存在・不存在、収容位置等を管理することはできるが、各部品の室内放置時間がフロアライフを越えたか否か、各部品の除湿の程度等、水分除去に関する情報を求めることはできない。結局、特許文献１の技術を応用したとしても、適切に除湿された部品を安定的に供給することは困難である。
【０００８】
本発明は、上記のような課題を解決するためになされたもので、適切に除湿された物品を安定的に供給することが可能な除湿管理装置、除湿装置、除湿管理方法およびプログラムを提供することを目的とする。
【課題を解決するための手段】
【０００９】
上記目的を達成するため、本発明に係る除湿管理装置は、入出庫判別部と、時間取得部と、水分量取得部とを備える。入出庫判別部は、除湿対象の物品の識別情報を読み取ることにより、物品の除湿部への入庫と出庫を判別する。時間取得部は、入出庫判別部の判別に基づいて、識別情報毎に、除湿部から物品が取り出されて物品が外気に触れている期間を示す暴露時間と除湿部に入庫されて物品が除湿された除湿時間とを取得する。水分量取得部は、時間取得部が取得した暴露時間および除湿時間に基づいて、除湿部に入庫された物品が含有する水分量を求める。
【発明の効果】
【００１０】
本発明によれば、適切に除湿された物品を安定的に供給することが可能な除湿管理装置、除湿装置、除湿管理方法およびプログラムを提供することができる。
【図面の簡単な説明】
【００１１】
【図１】本発明の実施形態に係る除湿装置の構成を説明するための図である。
【図２】実施形態に係る除湿装置のラック部分の拡大図である。
【図３】無線タグに登録される情報の構成例を示す図である。
【図４】実施形態に係る除湿装置のコントローラの構成を説明するための図である。
【図５】暴露時間と含有水分量とを対応付けるための加湿パラメータの例を説明するための図である。
【図６】除湿時間と含有水分量とを対応付けるための除湿パラメータの例を説明するための図である。
【図７】残存暴露時間記憶部に格納されるデータの構造を説明するための図である。
【図８】パラメータ記憶部に格納されるデータの構造を説明するための図である。
【図９】個体位置記憶部に格納されるデータの構造を説明するための図である。
【図１０】実施形態に係る除湿装置のコントローラが行う入庫処理を説明するためのフローチャートである。
【図１１】実施形態に係る除湿装置のコントローラが行う出庫処理を説明するためのフローチャートである。
【図１２】実施形態に係る除湿装置のコントローラが行う移載処理を説明するためのフローチャートである。
【図１３】高温槽の電子部品に対する除湿完了報知処理を説明するためのフローチャートである。
【発明を実施するための形態】
【００１２】
（実施の形態に係る除湿装置の構成）
以下、本発明を実施するための形態について図面を参照して詳細に説明する。なお図中、同一または同等の部分には同一の符号を付す。
【００１３】
図１に示すように、本実施の形態に係る除湿装置１は、低湿槽６，７と、高温槽８と、内部無線タグリーダ２〜４と、外部無線タグリーダ５と、コントローラ１１と、入力部１２と、表示部１３とを備えている。
【００１４】
低湿槽６，７は、大気よりも低い一定の低湿度で物品を保管可能な槽（例えばデシケータ）である。高温槽８は、大気よりも低い一定の低湿度でかつ低湿槽６，７よりも高い一定の高温で物品を保管可能な槽である。低湿槽６，７および高温槽８は、除湿部６０を構成し、１つの除湿部６０で低湿（室温除湿ともいう）保管と高温除湿保管の両方が可能である。高温槽８は、温度、湿度を切り替えることが可能であり、低湿槽として機能させることが可能である。
【００１５】
低湿槽６，７および高温槽８には、それぞれ槽内にラック９が配置されている。
【００１６】
ラック９は、図２に示すように、電子部品１０を収納する台が均等に仕切り板９２で仕切られ、その間に、電子部品１０を収納する収納部９５が設けられた構成を有する。収納部９５は一つ一つの電子部品１０が収納可能な幅に形成されている。
【００１７】
収納部９５には、図面左側から１−１，１−２，１−３，１−４・・・と番地が与えられている。この番地により電子部品１０の収納位置が特定される。
【００１８】
収納部９５それぞれに光源９１（例えばＬＥＤ（Light Emitting Diode）ライト）が設置されている。各光源９１は、図１に示すコントローラ１１に接続され、コントローラ１１の制御により個別に点灯・消灯される。光源９１の点灯により、除湿部６０から取り出す出庫対象の電子部品１０の収納位置や除湿部６０に収納する入庫対象の電子部品１０の収納位置が作業者に知らされる。光源９１の点灯により、作業者は電子部品１０を迷わず収納したり取り出したりすることが可能である。
【００１９】
図１に示す内部無線タグリーダ２〜４は、低湿槽６，７及び高温槽８内に配置され、各槽内にある電子部品１０に貼付された無線タグ（例えば、ＲＦＩＤ（Radio Frequency IDentification）、非接触ＩＣタグ）に登録されている情報を非接触で読み取る。
【００２０】
外部無線タグリーダ５は、除湿部６０外に配置され、除湿部６０外にある電子部品１０に貼付された無線タグに登録されている情報を非接触で読み取る。
なお、内部無線タグリーダ２〜４と外部無線タグリーダ５とをまとめて、無線タグリーダ２〜５と呼ぶ。
電子部品１０には、無線タグが貼付され、図３に示すように、電子部品１０の型式及び部品コードを含む登録情報が格納されている。
【００２１】
コントローラ１１は、低湿槽６，７および高温槽８のラック９における電子部品１０の保管位置及び各部品の水分量を管理する。
【００２２】
コントローラ１１は、物理的にはＣＰＵ（Central processing unit）とＣＰＵの動作プログラムを格納したメモリ、周辺回路等を備えるコンピュータから構成される。ＣＰＵは、メモリに格納されているプログラムを実行することにより、図４に示すようにパラメータ登録部３０、リーダ制御部３１、時間算出部３２、位置指示部３３、時計部３４、残存暴露時間記憶部２１、パラメータ記憶部２２、個体位置記憶部２３、として機能する。
【００２３】
リーダ制御部３１は、無線タグリーダ２〜５と時間算出部３２と位置指示部３３とに接続されており、無線タグリーダ２〜５の動作を制御する。具体的には、リーダ制御部３１は、無線タグリーダ２〜５を制御して、近傍の無線タグの登録情報（型式、部品ＩＤ）を読み取り、読み取った登録情報と読み取った無線タグリーダ２〜５のＩＤとを時間算出部３２と位置指示部３３とに出力する。
【００２４】
時間算出部３２は、リーダ制御部３１、位置指示部３３、時計部３４、残存暴露時間記憶部２１、パラメータ記憶部２２に接続されている。時間算出部３２は、入庫日時および出庫日時から暴露時間を算出する。暴露時間とは、電子部品１０が外気に暴露されている時間である。具体的には、暴露時間は電子部品１０が低湿槽６，７または高温槽８から取り出されて再び低湿槽６，７または高温槽８に収納されるまでの時間である。また、入庫日時は、電子部品１０が外気環境（例えば工場室内環境）から低湿槽６，７または高温槽８へ入庫した日時である。出庫日時は、電子部品１０が低湿槽６，７または高温槽８から外気環境へ出庫した日時である。「暴露時間＝入庫日時−出庫日時」である。
【００２５】
時間算出部３２は、さらに、残存暴露時間を算出する。残存暴露時間とは、電子部品１０を低湿槽６，７により除湿したときに、除湿が完了する（残存水分量＝０に達する）までに要する時間である。残存暴露時間は、電子部品１０の含有水分量に対応する値であり、残存暴露時間を求めることは、含有水分量を求めることにもなる。
【００２６】
例えば、入荷時の電子部品１０は、除湿された状態でパッケージに密閉されて納品されているが、開封後速やかに低湿槽６，７または高温槽８に収納される場合、その電子部品１０の残存暴露時間は０である。また、除湿装置１に入庫した電子部品１０でも、除湿装置１から取り出されて外気に暴露されると、暴露時間と後述する加湿パラメータとに基づいて定まる時間が残存暴露時間に加算される。
【００２７】
電子部品１０がどの程度吸湿するかは、出庫時の含有水分量（残存暴露時間）に依存する。例えば、出庫時の含有水分量が０であれば、単位時間当たりの吸湿量は多い。
一方、出庫時の含有水分量が９０％にも達していれば、外気に暴露されてもあまり吸湿しない。また、長時間暴露されていれば、単位時間当たりの吸湿量は飽和により徐々に低下する。さらに、これら程度は、外気の温度と湿度によって変化する。そこで、図５に示すように、出庫時の残存暴露時間（水分含有量）毎に、暴露時間に応じてどの程度の時間を残存暴露時間に加算するかを示す加湿パラメータがパラメータ記憶部２２に予め格納されている。なお、加湿パラメータは、電子部品１０の型式毎に、予め実験などにより求められる。この加湿パラメータは外気の温度と湿度の組み合わせ毎に用意してもよい。
【００２８】
電子部品１０は、除湿部６０に収納されると、徐々に除湿されて含有水分量が減少し、残存暴露時間も減少する。ただし、残存暴露時間の減少の程度は、槽内の湿度と温度、及び、除湿開始時点の残存暴露時間（含有水分量）等に依存する。そこで、図６に示すように、槽内の温度と湿度毎に、除湿時間と残存暴露時間との関係を示す除湿パラメータがパラメータ記憶部２２に予め格納されている。除湿パラメータは、電子部品１０の型式毎に、予め実験などにより求められる。時間算出部３２は、除湿開始時点の残存暴露時間に応じて、除湿時間の経過に応じ残存暴露時間を更新する。
【００２９】
図４に示すパラメータ登録部３０は、入力部１２とパラメータ記憶部２２と時計部３４に接続されている。パラメータ登録部３０は、入力部１２から入力されたパラメータ、例えば、フロアライフ、上述の加湿パラメータと除湿パラメータ等部品の形式毎にパラメータ記憶部２２に記憶させる。
【００３０】
位置指示部３３は、リーダ制御部３１、個体位置記憶部２３およびラック９に接続されている。位置指示部３３は、外部無線タグリーダ５が電子部品１０に貼付された無線タグの登録情報を読み出したときに、ラック９の収納部９５の空き番地を選定し、選択した空き番地に対応する光源９１を点灯し、作業者に収納位置を知らせる。位置指示部３３は、電子部品１０が収納されると、その番地と取得した登録情報とを対応づけて個体位置記憶部２３に記憶する。
【００３１】
また、位置指示部３３は、入力部１２および時間算出部３２に接続されている。位置指示部３３は、入力部１２や時間算出部３２により電子部品１０が指定されると、その電子部品１０が収納されている番地を特定し、対応する光源９１を点灯させ、その位置を作業者に知らせる。
【００３２】
位置指示部３３は、電子部品１０が取り出されると、電子部品１０が取り出された番地を空き番地として個体位置記憶部２３に記憶させる。
【００３３】
時計部３４は、現在日時を計測する計時手段（ＲＴＣ（Real Time Clock)）である。時計部３４は、時間算出部３２、パラメータ登録部３０および位置指示部３３に接続され、時間算出部３２、パラメータ登録部３０および位置指示部３３の求めに応じて、現在日時を出力する。
【００３４】
残存暴露時間記憶部２１は、時間算出部３２と接続されており、図７に示すように、電子部品１０の型式、部品ＩＤ、残存暴露時間、入庫日時、出庫日時等の情報を部品毎に記憶する。
【００３５】
図４に示すパラメータ記憶部２２は、パラメータ登録部３０および時間算出部３２に接続されている。パラメータ記憶部２２は、パラメータ登録部３０に接続された入力部１２から作業者が入力したパラメータを記憶する。パラメータは、図８に示すように、部品の型式毎に、フロアライフ（floor life：室内放置寿命時間）、上述の加湿パラメータ及び除湿パラメータ、低湿槽６，７から高温槽８に電子部品１０を移載するかを判定するための閾値等のパラメータを含む。
【００３６】
図４に示す個体位置記憶部２３は、位置指示部３３に接続されている。個体位置記憶部２３は、図９に示すように、電子部品１０の部品ＩＤとその電子部品１０が収容されている位置の番地とを対応付けて記憶する。
【００３７】
入力部１２は、キーボード、マウス、データ入力装置等の入力機器で構成される。入力部１２は、作業者によって電子部品１０の取り出し指示が入力される。また、入力部１２は、各種パラメータが入力される。
【００３８】
表示部１３は、液晶表示装置等で構成され、電子部品１０の位置情報や残存暴露時間等が表示される。
【００３９】
次に、上記構成を有する除湿装置１の動作を説明する。
作業者が除湿装置１を使用する場合、通常、パッケージ等に密封された電子部品１０をパッケージから取り出し、取り出された電子部品１０を低湿槽６又は７に収納する作業から始める。
【００４０】
除湿装置１は、図１０に示す入庫処理を繰り返して実行しており、外部無線タグリーダ５が読み取り可能な状態で待機している。
電子部品１０を除湿装置１に収納するため、作業者は、収納予定の電子部品１０を外部無線タグリーダ５にかざし、無線タグの登録情報を読み取らせる。
【００４１】
外部無線タグリーダ５は、読み取った登録情報をリーダ制御部３１に送る。リーダ制御部３１は、外部無線タグリーダ５が登録情報を読み出すのを待機しており（ステップＳ１００)、読み出したと判別すると（ステップＳ１００；Ｙｅｓ）、ステップＳ１０１に進む。
【００４２】
リーダ制御部３１は、外部無線タグリーダ５が読み出した登録情報（型式＋部品ＩＤ）を位置指示部３３に出力する。位置指示部３３は、個体位置記憶部２３から電子部品１０が収納されていない空き番地を読み出し、電子部品１０の位置として、そのうちの１つを選定する（ステップＳ１０１）。
【００４３】
位置指示部３３は、選定した番地の光源９１を点灯させる（ステップＳ１０２）。これにより、作業者は対象の電子部品１０の収納位置を容易に認識することが可能である。作業者は光源９１が点灯した収納部９５に電子部品１０を収納する。
【００４４】
位置指示部３３は、光源９１点灯後、内部無線タグリーダ２〜４による無線タグの読み取りをリーダ制御部３１に要求する。リーダ制御部３１は、内部無線タグリーダ２〜４を制御し、除湿部６０内にある電子部品１０の無線タグを読み取る。位置指示部３３は、リーダ制御部３１を介して、外部無線タグリーダ５で読み取られた登録情報に一致する登録情報得が内部無線タグリーダ２〜４で読み出せるようになったか否かを判定し（ステップＳ１０３）、読み出せるようになるまで待機する。
【００４５】
位置指示部３３は、外部無線タグリーダ５で読み取られた登録情報が内部無線タグリーダ２〜４で読み出せないと判定すると（ステップＳ１０３；Ｎｏ）、光源９１の点灯を維持する。
【００４６】
作業者が、電子部品１０を指示された位置に収納（入庫）すると、内部無線タグリーダ２〜４の何れかが、入庫された電子部品１０に貼付されている無線タグの登録情報を読み出す。従って、位置指示部３３は、外部無線タグリーダ５で読み取られた登録情報が内部無線タグリーダ２〜４の何れかで読み出せるようになったと判定し（ステップＳ１０３；Ｙｅｓ）、光源９１を消灯させる（ステップＳ１０４）。
【００４７】
時間算出部３２は、残存暴露時間記憶部２１に、今回読み取られた登録情報に含まれている部品ＩＤが記憶されているか否かを判別する（ステップＳ１０５）。
【００４８】
この例では、電子部品１０を新たに入庫しているケースであるので、未登録であると判別される（ステップＳ１０５；Ｎｏ）。
【００４９】
この場合、位置指示部３３は、図９に示すように、読み取られた登録情報に含まれている部品ＩＤとステップＳ１０１で選定した番地とを対応付けて、固体位置記憶部２３に新たに登録する（ステップＳ１１０）。
【００５０】
また、時間算出部３２は、図７に示すように、読み取られた登録情報に含まれている型式、部品ＩＤを残存暴露時間記憶部２１に新たに登録する（ステップＳ１１１）。この際、残存暴露時間を０に設定し、入庫日時に時計部３４が計時している現在日時を設定する。なお、出庫日時には未定義とする。
【００５１】
以上の処理で、電子部品１０の新規入庫時の処理は終了し、フローはステップＳ１００にリターンし、新たな無線タグの読み出しを待機する。
【００５２】
一方、新規登録ではなく、一旦入庫され、その後、取り出されて外気に暴露され、改めて入庫するケースの場合にも、作業者は、その電子部品１０に貼付されている無線タグを外部無線タグリーダ５に読み取らせる。
【００５３】
この場合には、ステップＳ１００からＳ１０５までは、上述の工程と同一の工程が実行され、ステップＳ１０５において、部品ＩＤが残存暴露時間記憶部２１に記憶済であると判別される（ステップＳ１０５；Ｙｅｓ）。
すると、時間算出部３２は、時計部３４から取得した現在日時を入庫日時として残存暴露時間記憶部２１に登録されている情報を更新する（ステップＳ１０６）。
【００５４】
次に、時間算出部３２は、残存暴露時間記憶部２１に記憶されている直近の出庫日時を読み出し、今回の入庫日時と差を求めることにより、今回の暴露時間を算出する（ステップＳ１０７）。また、時間算出部３２は、残存暴露時間記憶部２１に記憶されているその部品ＩＤの残存暴露時間を読み出し、さらに、パラメータ記憶部２２から、その型式に対応する加湿パラメータを読み出す。
【００５５】
時間算出部３２は、読み出した加湿パラメータと計算した暴露時間とに基づいて、残存暴露時間への加算値を求める。時間算出部３２は、求めた加算値を読み出した残存暴露時間に加算し、新たな残存暴露時間を算出する（ステップＳ１０８）。
【００５６】
時間算出部３２は、算出された残存暴露時間を読み取られた部品ＩＤに対応付けて残存暴露時間記憶部２１に記憶させる（ステップＳ１０９）。
以上で、再入庫時の処理が終了し、フローは、ステップＳ１００にリターンする。
【００５７】
次に、電子部品１０を除湿装置１から取り出す（出庫する）場合の、除湿装置１の動作につい説明する。
電子部品１０を使用する等の理由で、除湿装置１に収容されている電子部品１０を出庫したい場合、作業者は、入力部１２を操作し、使用したい部品の型式又は部品ＩＤを指定する。
【００５８】
この操作に応答し、コントローラ１１は、図１１に示す出庫処理を開始する。
まず、時間算出部３２は、入力部１２への入力が、電子部品１０の型式の指定であるか否かを判定する（ステップＳ２０１）。形式の指定である場合（ステップＳ２０１；Ｙｅｓ）、時間算出部３２は、残存暴露時間記憶部２１にアクセスし、指定された型式を有する電子部品１０の部品ＩＤを抽出する（ステップＳ２０２）。
【００５９】
時間算出部３２は、抽出された部品ＩＤのそれぞれについて、残存暴露時間を計算する。
【００６０】
より具体的には、時間算出部３２は、残存暴露時間記憶部２１に記憶されている直近の入庫日時を読み出し、時計部３４が計時している現在日時との差、即ち、今回の除湿時間を求める。また、時間算出部３２は、パラメータ記憶部２２から、その部品型式に対応し、且つ、除湿環境（温度、湿度等）に対応する除湿パラメータを読み出す。
時間算出部３２は、図６に示すように、読み出した除湿パラメータ上で、読み出した残存暴露時間を起点として、計算した除湿時間が経過したときの、残存暴露時間、即ち現時点での残存暴露時間を求める。
【００６１】
求めた残存暴露時間がフロアライフ未満である電子部品１０が存在するか否かを判別する（ステップＳ２０３）。存在すると判別した場合（ステップＳ２０３；Ｙｅｓ）、時間算出部３２は、その電子部品１０の部品ＩＤを位置指示部３３に出力する。残存暴露時間がフロアライフ未満である電子部品１０が複数存在する場合は、その中で最も残存暴露時間が短い電子部品１０の部品ＩＤを位置指示部３３に出力する。
【００６２】
位置指示部３３は、受信した部品ＩＤに対応するとその番地を個体位置記憶部２３から読み出す。これにより、位置指示部３３は、取り出し対象の電子部品１０が収納された収納部９５の番地を取得する（ステップＳ２０４）。
【００６３】
残存暴露時間がフロアライフ未満である電子部品１０が存在しない場合（ステップＳ２０３；Ｎｏ）、時間算出部３２は、表示部１３に残存暴露時間がフロアライフ未満である電子部品１０が存在しない旨の表示を行い、フローを終了させる。
【００６４】
一方、入力部１２への入力が電子部品１０の部品ＩＤである場合（ステップＳ２０１；Ｎｏ）、時間算出部３２は、該当する部品ＩＤを有する電子部品１０が除湿装置１内に存在するか否かを、個体位置記憶部２３の記憶データに基づいて判定する（ステップＳ２０５）。存在すると判定した場合は（ステップＳ２０５；Ｙｅｓ）、その部品ＩＤの電子部品１０の残存暴露時間を求め、フロアライフ未満であるか否かを判定し（ステップＳ２０３）、以後、上述と同様の動作を行う。
【００６５】
一方、該当する部品ＩＤの電子部品１０が存在しないと判別した場合（ステップＳ２０５；Ｎｏ）、時間算出部３２は、入力された部品ＩＤの電子部品１０が存在しない旨の情報を表示部１３に表示し、フローを終了させる。
【００６６】
ステップＳ２０４で、位置指示部３３が取り出し指示対象の電子部品１０が収納された収納部９５の番地を取得すると、位置指示部３３は、取得した番地の光源９１を点灯させる（ステップＳ２０６）。これにより、作業者は、指定した部品ＩＤの電子部品１０の収納位置を容易に認識することが可能である。作業者は光源９１が点灯した番地の収納部９５から対象の電子部品１０を取り出す。
【００６７】
位置指示部３３は、内部無線タグリーダ２〜４による部品ＩＤの読み取りをリーダ制御部３１に要求する。これにより、内部無線タグリーダ２〜４は、それぞれ無線タグを読み取る。位置指示部３３は、取り出し指示がされた電子部品１０が取り出されて、その部品ＩＤが読み出されなくなるまで、ステップＳ２０７とＳ２０６を繰り返す（ステップＳ２０７、Ｓ２０６）。
【００６８】
位置指示部３３は、その部品ＩＤが読み出されなくなったと判定すると（ステップＳ２０７；Ｙｅｓ）、その電子部品１０が除湿部６０の外部に出されたことを示す信号を時間算出部３２に出力する。時間算出部３２は、時計部３４から取得した現在日時を出庫日時として扱い、残存暴露時間記憶部２１にその日時を記憶させる（ステップＳ２０８）。また、時間算出部３２は収納部９５の光源９１を消灯させる（ステップＳ２０８）。
【００６９】
また、ステップＳ２０３で計算（更新）した残存暴露時間を残存暴露時間記憶部２１に記憶させる（ステップＳ２０８）。
【００７０】
以上の動作により、除湿装置１から電子部品１０を取り出す際の、動作が終了する。除湿装置１の出庫の動作の場合、作業者が電子部品１０の型式を指定すると、残存暴露時間がフロアライフ未満である電子部品１０を、除湿装置１が自動的に抽出して使用可能な電子部品１０を報知するので、作業が繁雑でなく誤りも生じない。このため、除湿された電子部品１０が安定的に供給可能である。
【００７１】
除湿装置１では、低湿槽６，７よりも高温槽８のほうが電子部品１０の除湿が速く進む。このため、電子部品１０の除湿を速く行う必要があるとき、電子部品１０を低湿槽６，７から高温槽８に移し替えて、高温槽８で電子部品１０を除湿する。
【００７２】
この場合、作業者は、低湿槽６，７から高温槽８に移し替えるモードを、入力部１２を用いて指示する。
【００７３】
この指示に応答して、コントローラ１１は、図１２に示す移載処理を開始する。
処理を開始すると、時間算出部３２は低湿槽６，７に収納されている電子部品１０の残存暴露時間を残存暴露時間記憶部２１から読み出し、上述した工程と同様に、現在の残存暴露時間を求める。
時間算出部３２は各電子部品１０のフロアライフをパラメータ記憶部２２から読み出す。
【００７４】
時間算出部３２は、部品ＩＤ毎に、現在の残存暴露時間とフロアライフとの差を算出する（ステップＳ３００）。
【００７５】
時間算出部３２は、パラメータ記憶部２２から高温槽８への収納を判定するための閾値を読み出し、各部品ＩＤについて、算出された差がその閾値以下であるかを判定する（ステップＳ３０１）。
【００７６】
時間算出部３２が算出された差が閾値以下であると判定した場合（ステップＳ３０１；Ｙｅｓ）、時間算出部３２は、閾値以下であると判定された部品ＩＤを位置指示部３３に出力し、位置指示部３３は、その部品ＩＤに対応付けられた番地を取得する。
【００７７】
位置指示部３３は、取得した番地に対応する収納部９５の光源９１を点灯させる（ステップＳ３０２）。これにより、作業者は、低湿槽６，７から高温槽８に移す電子部品１０が存在することを認識することが可能である。作業者は、光源９１が点灯した収納部９５から対象の電子部品１０を取り出す。
【００７８】
一方、時間算出部３２は全ての部品ＩＤについて算出された差が閾値より大きいと判定した場合（ステップＳ３０１；Ｎｏ）、低湿槽６，７から高温槽８に移し替えるモードを終了させる。時間算出部３２は、低湿槽６，７から高温槽８に移し替える必要がある電子部品１０が存在しないことを表示部１３に表示する。
【００７９】
光源９１の点灯後、位置指示部３３は、リーダ制御部３１を介して、取り出し指示がされた電子部品１０の部品ＩＤが読み出されなくなるまで待機する（ステップＳ３０３；Ｎｏ，ステップＳ３０２）。
【００８０】
一方、位置指示部３３が、取り出し指示がされた電子部品１０の部品ＩＤが読み出されなくなったと判定すると（ステップＳ３０３；Ｙｅｓ）、時間算出部３２は、その電子部品１０が収容されていた番地の光源９１を消灯させる（ステップＳ３０４）。また低湿槽６，７から高温槽８へ移し替え作業で、電子部品１０を一度外部の外気環境下に暴露させることになるので、時間算出部３２は、時計部３４から取得した現在日時を出庫日時として扱い、残存暴露時間記憶部２１にその日時を部品ＩＤと対応付けて記憶させる。また、残存暴露時間を更新する（ステップＳ３０４）。
【００８１】
作業者は、低湿槽６，７から取り出した電子部品１０を高温槽８に収納するため、再度除湿装置１への収納作業を行う。作業者は、取り出した電子部品１０を外部無線タグリーダ５にかざし、登録情報（部品ＩＤ等）を読み取らせる。
【００８２】
外部無線タグリーダ５は、読み取った部品ＩＤをリーダ制御部３１に通知する。リーダ制御部３１は、外部無線タグリーダ５による部品ＩＤの読み出しを待機しており（ステップＳ３０５）、部品ＩＤを通知されると（ステップＳ３０５；Ｙｅｓ）、その部品ＩＤを位置指示部３３に出力する。位置指示部３３は、外部無線タグリーダ５が読み出した部品ＩＤと取り出しが指示がされた電子部品１０の部品ＩＤの何れかが一致するか否かを判定する（ステップＳ３０６）。
【００８３】
位置指示部３３は、一致すると判定すると（ステップＳ３０６；Ｙｅｓ）、高温槽８における収納部９５の空き番地を読み出し、その電子部品１０を収納するための番地を１つ選定する（ステップＳ３０７）。
【００８４】
一方、位置指示部３３が、外部無線タグリーダ５が読み出した部品ＩＤが取り出し指示がされた電子部品１０の部品ＩＤの何れとも一致しないと判定すると（ステップＳ３０６；Ｎｏ）、時間算出部３２を介して、移載対象の電子部品１０とは異なる部品が高温槽８に入庫した旨の警告を表示部１３に表示させる。作業者は、この警告に対応して、適切な処置を取る。
【００８５】
位置指示部３３は、電子部品１０が空き番地を取得すると、取得した番地の光源９１を点灯させる（ステップＳ３０８）。作業者は、光源９１が点灯した番地の収納部９５に対象の電子部品１０を収納する。
【００８６】
位置指示部３３は、高温槽８内に配置された内部無線タグリーダ４による部品ＩＤの読み取りをリーダ制御部３１に要求し、内部無線タグリーダ４が、該当する部品ＩＤを読み出すまで待機する（ステップＳ３０９；Ｎｏ，ステップＳ３０８）。
【００８７】
位置指示部３３は、外部無線タグリーダ５により読み出された部品ＩＤが内部無線タグリーダ４により読み出せるようになったと判定した場合（ステップＳ３０９；Ｙｅｓ）、光源９１を消灯させる（ステップＳ３１０）。
【００８８】
位置指示部３３は、移載された電子部品１０の部品ＩＤを時間算出部３２に通知する。通知に応答して、時間算出部３２は、時計部３４から取得した現在日時を入庫日時として扱い、高温槽８に移し替えられた電子部品１０に対応する部品ＩＤと対応付けて、入庫日時を残存暴露時間記憶部２１に記憶させる。時間算出部３２は、残存暴露時間記憶部２１から出庫日時および出庫時の残存暴露時間を読み出し、さらに、パラメータ記憶部２２から加湿パラメータを読み出す。時間算出部３２は、読み出された出庫日時と入庫日時とから、暴露時間を求め、暴露時間と加湿パラメータとから残存暴露時間への加算値を求め、求めた加算値を出庫時残存暴露時間に加算して、現在の残存暴露時間を算出し（ステップＳ３１１）、算出された残存暴露時間を残存暴露時間記憶部２１に記憶させる。
以上で、移載処理を終了する。
【００８９】
コントローラ１１は、高温槽８に収容している電子部品１０の残存暴露時間を求め、除湿が終了した電子部品１０を作業者に報知する。
図１３を参照して、この除湿完了報知処理を説明する。
【００９０】
例えば、コントローラ１１は、タイマ割り込みにより、所定周期で、図１３の除湿完了報知処理を実行する。
【００９１】
除湿完了報知処理を開始すると、時間算出部３２は、部品ＩＤ毎に、前回の残存暴露時間（すなわち前回の水分量の取得）の算出からの経過時間（除湿時間）を算出し、算出した経過時間と除湿パラメータとから現在の残存暴露時間を再計算する（ステップＳ４０１）。
【００９２】
残存暴露時間が０になると又は所定の閾値以下の部品ＩＤについて、時間算出部３２は、部品ＩＤと除湿完了の信号を位置指示部３３に出力する。位置指示部３３はその信号を取得すると、除湿が完了した電子部品１０が収納された収納部９５の光源９１を点灯させる（ステップＳ４０２）。これにより、作業者は、除湿が完了した電子部品１０の収納位置を容易に認識することが可能である。
【００９３】
位置指示部３３は、リーダ制御部３１を介して、除湿が完了した電子部品１０の部品ＩＤが読み出されるか否かを判定する（ステップＳ４０３）。位置指示部３３は、除湿が完了した電子部品１０の部品ＩＤが読み出されたと判定すると（ステップＳ４０３；Ｎｏ）、今回の処理を終了する。一方、位置指示部３３が、除湿が完了した電子部品１０の部品ＩＤが読み出されなくなったと判定すると（ステップＳ４０３；Ｙｅｓ）、時間算出部３２は光源９１を消灯させる（ステップＳ４０４）。また、位置指定部３３は、個体位置記憶部２３に記憶されているその部品ＩＤの番地を消去する（ステップＳ４０５）。また、時間算出部３２は、残存暴露時間記憶部２１の登録情報のうち、出庫日時を時計部３４が計時する現在時刻に更新し、残存暴露時間をステップＳ４０１で計算した残存暴露時間に更新する（ステップＳ４０６）。
以上により、低湿槽６，７から高温槽８に移し替えるフローが終了する。
高温槽８から取り出された電子部品１０を低湿槽６又は７に入庫するときの動作は、図１０を参照して説明した入庫処理により処理される。
【００９４】
以上説明したように、除湿装置１は、電子部品１０の含有水分量を残存暴露時間として自動的に算出し、残存暴露時間がフロアライフよりも小さいものを、使用対象の電子部品１０として報知する。従って、除湿装置１は、適切に除湿された部品を安定的に供給することが可能である。また、無線タグを使用するため、作業者が部品ＩＤをリーダに読み取らせたり入力したりする手間を省くことが可能であり、操作が簡便である。
【００９５】
以上、本発明の実施の形態について説明したが、本発明は上記の実施の形態等に限定されるものではない。例えば、上記実施の形態では、無線タグに記憶された部品ＩＤで電子部品１０の除湿管理を行う形態を説明したが、電子部品１０の部品ＩＤは無線タグ以外の媒体に記憶されてもよい。例えば、電子部品１０に貼付されたバーコードで部品ＩＤを管理してもよい。バーコードで部品ＩＤを管理する場合、バーコードリーダでの読み取りであるので、作業者の作業が煩雑であるが、無線タグリーダと同様に、電子部品１０の除湿管理が可能である。このように、電子部品１０に貼付された記録媒体には、バーコードのように印刷された媒体も含まれる。また、入出庫判別部には、無線タグリーダ２〜５やバーコードリーダが含まれ、無線タグリーダ２〜５を制御するリーダ制御部３１も入出庫判別部に含まれる。
【００９６】
また、電子部品１０毎に除湿管理を行う形態を説明したが、例えば、電子部品１０が梱包ケースに収納され、この梱包ケースに無線タグが貼付されてもよい。すなわち、電子部品１０が梱包ケース等の梱包材を介して記録媒体を貼付され、その貼付された記録媒体に記録された部品ＩＤをリーダが読み取ってもよい。また、リールに複数の電子部品１０が配置され、リール単位で無線タグ等の記録媒体が貼付されてもよい。本発明の実施の形態では、電子部品１０に貼付されたとは、電子部品１０に直接のみならず間接的に添付されたものを含み、複数の電子部品１０に貼付された場合が含まれる。
【００９７】
本実施の形態では、電子部品１０を例に説明したが、水分の制御が必要な全ての物品に適用してもよい。
【００９８】
また、低湿槽６，７および高温槽８を備える除湿装置１を例に説明したが、いずれか一方の槽を備える除湿装置であってもよい。
【００９９】
また、入庫日時、出庫日時、現在日時、等から、暴露時間、除湿時間を求める例を示したが、これらの時間をタイマで計時するようにしてもよい。
また、残存暴露時間を求める手法は、実施形態で示したものに限定されない。実施形態に示したものは、理解を容易にするための一例であり、任意の手法を採用可能である。同様に、加湿パラメータ、除湿パラメータも任意に設定可能である。
また、加湿パラメータ、除湿パラメータの形式も設定可能である。例えば、暴露時間と暴露後の水分量とを対応付ける加湿パラメータ、除湿時間と除湿後の水分量とを対応付ける加湿パラメータも一例である。
【０１００】
上記実施の形態においては、各部品の水分量を残存露出時間、即ち、除湿に要する時間で表現した。この発明はこれに限定されない。水分量をｍｇなどの絶対量で表示することも可能である、また、飽和水分量に対する残存水分量の割合（％）で表現することも可能である。表示部１３に水分量を表示する際には、これらの数値を使用することにより、より分かりやすく表示が可能である。
【０１０１】
上記実施の形態において、電子部品１０の取り出しフローで時間算出部３２が算出した残存暴露時間、すなわち、水分量取得部で取得された水分量が、フロアライフ未満である場合に、電子部品１０を特定して使用可能な電子部品１０を、光源９１を点灯させることによって作業者に報知していたが、水分量取得部で取得された水分量が所定の基準（例えば、閾値）を満たせばよく、水分量取得部で取得された水分量がフロアライフ未満であることはその一例にすぎない。
【０１０２】
また、上記実施の形態において、電子部品１０の除湿部６０への入庫と出庫を判別する入庫出庫判別部、識別情報毎に暴露時間・除湿時間とを取得する時間取得部、および暴露時間・除湿時間に基づいて除湿部６０に収納された電子部品１０が含有する水分量を求める水分量取得部の機能を時間算出部３２が実現する形態を説明したが、これらの機能をコントローラ１１全体で実現する形態であってもよい。例えば、位置指示部３３が入庫出庫判別部の機能を実現してもよい。複数のコントローラがこれらの機能を分散して実現してもよい。
【０１０３】
また、上記実施の形態において、物品の出し入れを作業者に指示するための指示部が収納部９５に配置された光源９１である形態を説明したが、指示部は、光源に限られない。例えば、音声により収納部の番号が報知されたり、表示部１３に文字情報が表示さたりする形態であってもよい。
【０１０４】
なお、上記で説明した除湿装置１は、除湿部６０と、無線タグリーダと、コンピュータ（ＣＰＵ等の制御部）とを備える装置の、コンピュータに同様の機能を実現させるためのプログラムを実行させることで、本実施の形態に係る除湿装置１として機能させることが可能である。
【０１０５】
このようなプログラムの適用方法は任意であり、例えば、メモリーカード、ＣＤ−ＲＯＭ、またはＤＶＤ−ＲＯＭ等の記録媒体に格納して配布することが可能である。またインターネット等の通信媒体を介して配布することも可能である。
【符号の説明】
【０１０６】
１  除湿装置、２，３，４  内部無線タグリーダ，５  外部無線タグリーダ、６，７  低湿槽、８  高温槽、９  ラック、１０  電子部品、１１  コントローラ、１２  入力部、１３  表示部、２１  残存暴露時間記憶部、２２  パラメータ記憶部、２３  個体位置記憶部、３０  パラメータ登録部、３１  リーダ制御部、３２  時間算出部、３３  位置指示部、３４  時計部、６０  除湿部、９１  光源、９２  仕切り板、９５  収納部。
【図１】
2014129153.tif 000003
【図２】
2014129153.tif 000004
【図３】
2014129153.tif 000005
【図４】
2014129153.tif 000006
【図５】
2014129153.tif 000007
【図６】
2014129153.tif 000008
【図７】
2014129153.tif 000009
【図８】
2014129153.tif 000010
【図９】
2014129153.tif 000011
【図１０】
2014129153.tif 000012
【図１１】
2014129153.tif 000013
【図１２】
2014129153.tif 000014
【図１３】
2014129153.tif 000015